(57)【特許請求の範囲】
【請求項１】
ワークの圧入部に被圧入部材を圧入するようにした圧入装置であって、シリンダのケーシング内に固定され且つシリンダの軸方向でピストンの前進方向に延出する先端側にテーパ部が形成される固定シャフトと、前記ケーシング内で進退動するピストンと一体化され且つ前記固定シャフトに摺動自在に嵌合する筒状ロッドと、この筒状ロッドの先端部に設けられ且つ筒状ロッドの径方向に出没自在な係止部材を備え、前記筒状ロッドをワークの圧入部内に挿入した後、筒状ロッドの引き込み動作の初期の段階で前記係止部材が前記テーパ部の作用により筒状ロッドの径方向の外側に突出して圧入部近傍のワーク係止部に係合し、その後、係止部材とケーシングとの間にセットされる被圧入部材を筒状ロッドに対して相対移動するケーシングで押圧して圧入部に圧入することを特徴とする圧入装置。
【発明の詳細な説明】
【０００１】
【発明の属する技術分野】
本発明は、例えばワークにオイルシールリング等を圧入するための圧入装置に関する。
【０００２】
【従来の技術】
従来、例えば車両用部品等のワークにオイルシールリングを圧入する際、図３に示すように、オイルシールリングＳをセットした圧入治具５１をワークＷの圧入部Ｗａの上方にセットし、ハンマ５２等で叩いて圧入するような方法が採られることがある。
【０００３】
【発明が解決しようとする課題】
ところが、上記のような方法の場合、圧入治具５１を手で保持していなければならず、また通常、一度で圧入が完了せず二回、三回と叩く必要があるため、工数がかかるという問題がある。
また、オイルシールリングＳの全域に均等な力が加わりにくいため、オイルシールリングＳの倒れやこじれ等が発生するという問題もあった。
【０００４】
そこで本発明は、オイルシールリング等の圧入作業を効率的に且つ正確に行うことが出来、また取扱いの容易な圧入装置の提供を目的とする。
【０００５】
【課題を解決するための手段】
上記目的を達成するため本発明は、ワークの圧入部に被圧入部材を圧入するようにした圧入装置において、シリンダのケーシング内に固定され且つシリンダの軸方向でピストンの前進方向に延出する先端側にテーパ部が形成される固定シャフトと、ケーシング内で進退動するピストンと一体化され且つ固定シャフトに摺動自在に嵌合する筒状ロッドと、この筒状ロッドの先端部で径方向に出没自在にされる係止部材を設け、筒状ロッドをワークの圧入部内に挿入した後、筒状ロッドの引き込み動作の初期の段階で係止部材が前記テーパ部の作用により筒状ロッドの径方向の外側に突出して圧入部近傍のワーク係止部に係合し、その後、係止部材とケーシングとの間にセットされる被圧入部材を筒状ロッドに対して相対移動するケーシングで押圧して圧入部に圧入した。
【０００６】
すなわち、シリンダのケーシングと筒状ロッドの係止部材との間に被圧入部材をセットし、筒状ロッドの先端を圧入部に挿入してシリンダを作動させることで、筒状ロッドの引き込み動作の初期の段階で係止部材を突出させてワーク係止部に係合させ、その後、筒状ロッドに対して相対移動するケーシングの押圧力で被圧入部材を圧入する。
このように構成することで、単一のシリンダ作動によって被圧入部材を圧入することが出来、取扱い性や作業性に優れるとともに、正確に圧入することが出来る。
【０００７】
【発明の実施の形態】
本発明の実施の形態について添付した図面に基づき説明する。
ここで図１は本発明に係る圧入装置の構成例図、図２は作用図である。
【０００８】
本発明に係る圧入装置は、例えば車両用部品等のワークＷの圧入部ＷａにオイルシールリングＳ等の被圧入部材を圧入する装置として構成され、このワークＷの圧入部Ｗａには、図１に示すように、予め貫通孔を有するベアリングｂが圧入されており、このベアリングｂの貫通孔の下面が後述するワークの係止部にされるとともに、上部の孔部内にオイルシールリングＳが圧入されるようになっている。
【０００９】
すなわち本圧入装置１は、操作架台２に取付けられるシリンダユニットのケーシング３と、このケーシング３内の中央部に固定される固定シャフト４と、ケーシング３内で進退動するピストン５と、このピストン５に連結される筒状ロッド６を備えており、この筒状ロッド６の先端部には、係止部材としての係止ボール７が径方向に出没自在に設けられている。
【００１０】
前記ケーシング３は、前記ピストン５が内装される上部ケーシング３ａと、この上部ケーシング３ａに対して中間ケーシング３ｂを介して軸周りに回転自在に連結される下部ケーシング３ｃを備えており、この下部ケーシング３ｃの下端部には、オイルシールリングＳを嵌合せしめて保持するための保持部ｐが形成されている。
【００１１】
前記固定シャフト４は、前記上部ケーシング３ａに結合される上部固定シャフト４ａと、この上部固定シャフト４ａと一体化される下部固定シャフト４ｂを備えており、この下部固定シャフト４ｂの下端部は軸径が大径にされるとともに、この大径部の下端部は先細りのテーパ部ｔとされている。
【００１２】
前記ピストン５は、上部固定シャフト４ａに対して摺動自在に嵌合しており、その下端部は上部ケーシング３ａを貫いて下方に延出している。
そして、上部ケーシング３ａのエア供給部ｘ、ｙから供給されるエアによって上下動するようにされている。
因みに、各エア供給部ｘ、ｙからのエアの供給の操作は、操作架台２に設けたスイッチ９によって行うようにしている。
【００１３】
前記筒状ロッド６は、ピストン５に対して連結筒８を介して軸周りに回転自在に連結されており、前記下部固定シャフト４ｂに摺動自在に嵌合している。
そして前記ピストン５の上下動に伴って筒状ロッド６も一体的に上下動するようにしている。
【００１４】
前記係止ボール７は、筒状ロッド６の下端部の周囲に埋め込まれ、実施例では円周方向に沿って等間隔に配設される４個の鋼球から構成している。そしてこの係止ボール７の位置が、下部固定シャフト４ｂのテーパ部ｔより下方の先細り径の位置にある時は、半径方向の内側に没入することが出来るようにされ、テーパ部ｔより上方の大径部の位置に移動すると、半径方向の外側に突出するようにされている。
【００１５】
以上のように構成した圧入装置１の作用等について、図２に基づき説明する。尚、図２では説明を簡略にするため、上部、中間、下部ケーシング３ａ、３ｂ、３ｃを一体に纏めてケーシング３と表現し、上部、下部固定シャフト４ａ、４ｂを一体に纏めて固定シャフト４と表現し、ピストン５と筒状ロッド６を連結する連結筒８は省略して一体に表現している。
【００１６】
まず、筒状ロッド６の先端からオイルシールリングＳを嵌め込み、ケーシング３の所定位置（実際は、図１の下部ケーシング３ｃの保持部ｐに嵌合）にセットした後、図２（ａ）に示すように、筒状ロッド６の先端をワークＷの圧入部Ｗａに挿入し、既に圧入されているベアリングｂの貫通孔を挿通させる。
【００１７】
このベアリングｂの貫通孔は、筒状ロッド６の外径より僅かに大きく、また筒状ロッド６の先端部の係止ボール７が外側に突出した状態では、筒状ロッド６を引抜くことが出来ない程度の径にされ、またこの貫通孔の下面はワークの係止部とされているが、筒状ロッド６を挿通させる際は、ピストン５を下方に移動させて筒状ロッド６の先端の係止ボール７を、固定シャフト４のテーパ部ｔより下方の先細り径の位置にあるようにし、筒状ロッド６の内側に没入可能な状態にしている。
【００１８】
次いで、図２（ｂ）に示すように、ケーシング３内にエアを供給してピストン５を上昇させる。すると、筒状ロッド６が固定シャフト４に対して相対的に上昇し、係止ボール７がテーパ部ｔより上方に移動して係止ボール７が半径方向の外側に突出する。そしてその後も筒状ロッド６は上昇しようとするが、係止ボール７がベアリングｂの下面の係止部に当接すると、それ以上上昇出来なくなる。
【００１９】
このため、係止ボール７がベアリングｂの下面に係合した後、今度はケーシング３の方が筒状ロッド６に対して相対的に降下し始め、図２（ｃ）に示すように、保持するシールリングＳを圧入部Ｗａ内に圧入する。
【００２０】
そしてこのような一連の圧入作業は、１個のシリンダユニットの作動によって自動的に行われ、またオイルシールリングＳの全面を均一な力で押圧しながら圧入されるため、傾きやこじれ等を防止して正確に圧入することが出来、しかも取扱いが簡単である。
【００２１】
因みに、圧入が完了すると、ケーシング３内のエアを切替えてピストン５を下方に移動させ、係止ボール７をテーパ部ｔより下方の位置に戻すことにより、係止ボール７が内側に没入可能な状態にして筒状ロッド６を引抜くだけで良く、この操作も簡単である。
【００２２】
尚、本発明は以上のような実施形態に限定されるものではない。本発明の特許請求の範囲に記載した事項と実質的に同一の構成を有し、同一の作用効果を奏するものは本発明の技術的範囲に属する。
例えばワークの係止部はベアリングｂの下面に限定されるものではなく、また被圧入部材はオイルシールリングＳ以外の部材でも良い。
【００２３】
【発明の効果】
以上のように本発明に係る圧入装置は、ケーシングに固定される固定シャフトの先端側にテーパ部を形成し、ケーシング内で進退動するピストンに筒状ロッドを結合して固定シャフトに摺動自在に嵌合させるとともに、この筒状ロッドの先端部に径方向に出没自在な係止部材を設け、この係止部材をワーク係止部に係合させて、係止部材とケーシングとの間にセットされる被圧入部材を、筒状ロッドに対して相対移動するケーシングの押圧力で圧入部に圧入したため、単一のシリンダ作動によって被圧入部材を圧入することが出来、取扱い性や作業性に優れるとともに、正確に圧入することが出来る。
【図面の簡単な説明】
【図１】本発明に係る圧入装置の構成例図
【図２】作用図
【図３】従来の圧入装置の説明図
【符号の説明】
１…圧入装置、３…ケーシング、４…固定シャフト、５…ピストン、６…筒状ロッド、７…係止ボール、ｔ…テーパ部、Ｓ…オイルシールリング。
【図１】
0003844412.tif 000002
【図２】
0003844412.tif 000003
【図３】
0003844412.tif 000004